【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
炭化水素含有の燃料を燃焼させて、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を調整する空気比調整手段とを備え、
前記予混合バーナおよび前記水管群は、前記空気比を設定空気比としたとき、前記酸化触媒一次側のガス中の酸素，窒素酸化物および一酸化炭素の濃度比Ｋが所定濃度比となる特性を有し、
前記酸化触媒は、前記濃度比Ｋを前記所定濃度比としたとき前記酸化触媒二次側の窒素酸化物濃度を実質的に零とし、一酸化炭素濃度を実質的に零または所定値以下とする特性を有し、
前記空気比調整手段により前記空気比を、前記濃度比Ｋが次式（１）および（２）を満たす前記設定空気比に制御することにより前記所定濃度比を一定に保持することを特徴とするボイラ。
（［ＮＯｘ］＋２［Ｏ２］）／［ＣＯ］＝Ｋ      …（１）
Ｋ≦２．０                     …（２）
（式（１）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項２】
炭化水素含有の燃料を燃焼させて、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を調整する空気比調整手段とを備え、
前記予混合バーナおよび前記水管群は、前記空気比を基準設定空気比としたとき、前記酸化触媒一次側のガス中の酸素，窒素酸化物および一酸化炭素の濃度比Ｋが基準所定濃度比Ｋ０となる特性を有し、
前記酸化触媒は、前記濃度比Ｋを前記基準所定濃度比Ｋ０としたとき前記酸化触媒二次側の窒素酸化物濃度および一酸化炭素濃度を実質的に零とする特性を有し、
前記空気比調整手段により前記基準設定空気比に制御することにより前記基準所定濃度
比Ｋ０を一定に保持し、
前記基準所定濃度比Ｋ０を判定する式を、次式（４）を満たす次式（３）としたことを特徴とするボイラ。
（［ＮＯｘ］＋２［Ｏ２］）／［ＣＯ］＝Ｋ      …（３）
１．０≦Ｋ＝Ｋ０≦２．０                     …（４）
（式（３）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項３】
炭化水素含有の燃料を燃焼させて、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を調整する空気比調整手段とを備え、
前記予混合バーナおよび前記水管群は、前記空気比を第一設定空気比としたとき、前記酸化触媒一次側のガス中の酸素，窒素酸化物および一酸化炭素の濃度比Ｋが第一所定濃度比Ｋ１となる特性を有し、
前記酸化触媒は、前記濃度比Ｋを前記第一所定濃度比Ｋ１としたとき前記酸化触媒二次側の窒素酸化物濃度を実質的に零とし、一酸化炭素濃度を所定値以下とする特性を有し、
前記空気比調整手段により前記第一設定空気比に制御することにより前記第一所定濃度比Ｋ１を一定に保持し、
基準所定濃度比Ｋ０を判定する式を、次式（６）を満たす次式（５）とし、前記第一所定濃度比Ｋ１を前記基準所定濃度比Ｋ０より小さくしたことを特徴とするボイラ。
（［ＮＯｘ］＋２［Ｏ２］）／［ＣＯ］＝Ｋ      …（５）
１．０≦Ｋ＝Ｋ０≦２．０                     …（６）
（式（５）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項４】
炭化水素含有の燃料を燃焼させ、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を検出するためのセンサと、  
このセンサの検出信号に基づき設定空気比に前記予混合バーナを制御する空気比調整手段とを備え、
前記予混合バーナおよび前記水管群は、前記空気比調整手段により前記空気比を、前記酸化触媒への流入前の前記ガスの濃度比Ｋが次式（７）および（８）を満たすように前記設定空気比に調整したとき、前記酸化触媒二次側の窒素酸化物濃度を実質的に零とし、一酸化炭素濃度を実質的に零または所定値以下とする前記酸化触媒一次側における酸素，窒素酸化物および一酸化炭素の所定濃度比を得ることができるように構成されることを特徴とするボイラ。
（［ＮＯｘ］＋２［Ｏ２］）／［ＣＯ］＝Ｋ      …（７）
Ｋ≦２．０                     …（８）
（式（７）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項５】
炭化水素含有の燃料を燃焼させ、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を検出するためのセンサと、
このセンサの検出信号に基づき設定空気比に前記予混合バーナを制御する空気比調整手段とを備え、
前記予混合バーナおよび前記水管群は、前記空気比調整手段により前記空気比を、前記酸化触媒への流入前の前記ガスの濃度比Ｋが次式（９）および（１０）を満たすように前記設定空気比に調整したとき、前記酸化触媒二次側の窒素酸化物濃度および酸素濃度を実質的に零とし、一酸化炭素濃度を実質的に零または所定値以下とする空気比−ＮＯx・Ｃ
Ｏ特性を有することを特徴とするボイラ。
（［ＮＯｘ］＋２［Ｏ２］）／［ＣＯ］＝Ｋ      …（９）
Ｋ≦２．０                     …（１０）
（式（１０）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項６】
炭化水素含有の燃料を燃焼させ、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を検出するためのセンサと、  
このセンサの検出信号に基づき設定空気比に前記予混合バーナを制御する空気比調整手段とを備え、
前記予混合バーナおよび前記水管群は、前記空気比調整手段により前記空気比を、前記酸化触媒への流入前の前記ガスの濃度比Ｋが次式（１１）および（１２）を満たすように前記設定空気比に調整したとき、前記酸化触媒一次側の前記ガスにおける一酸化炭素濃度が前記酸化により前記酸化触媒内で低減される一酸化炭素濃度と前記還元により前記酸化触媒内で低減される一酸化炭素濃度とを加えた値とほぼ等しいか、それ以上となるように構成されることを特徴とするボイラ。
（［ＮＯｘ］＋２［Ｏ２］）／［ＣＯ］＝Ｋ      …（１１）
Ｋ≦２．０                     …（１２）
（式（１１）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項７】
炭化水素含有の燃料を燃焼させ、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を検出するためのセンサと、
このセンサの検出信号に基づき設定空気比に前記予混合バーナを制御する空気比調整手段とを備え、
前記予混合バーナおよび前記水管群は、前記空気比調整手段により前記空気比を前記設定空気比に調整したとき、前記酸化触媒への流入前の前記ガスの濃度比Ｋが次式（１３）および（１４）を満たすように構成されることを特徴とするボイラ。
（［ＮＯｘ］＋２［Ｏ２］）／［ＣＯ］＝Ｋ      …（１３）
Ｋ≦２．０                     …（１４）
（式（１３）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項８】
前記設定空気比を実質的に１．０とすることを特徴とする請求項４〜請求項７に記載の燃焼装置。
【請求項９】
炭化水素含有の燃料を燃焼させ、炭化水素を含まず、酸素，窒素酸化物および一酸化炭素を含むガスを生成させる予混合バーナと、
この予混合バーナにて生成されるガスから吸熱する水管群と、
この水管群を通過後の前記ガスに含まれる一酸化炭素を酸素により酸化し窒素酸化物を一酸化炭素により還元する酸化触媒と、
前記予混合バーナの空気比を調整する空気比調整手段とを備え、
前記予混合バーナおよび前記水管群は、前記空気比調整手段により空気比１．０の近傍にて調整することにより得られる前記酸化触媒一次側の酸素，窒素酸化物および一酸化炭素を含む前記ガスに関する前記酸化触媒の一次側の空気比−ＮＯx・ＣＯ特性を有し、
前記酸化触媒は、前記一次側の空気比−ＮＯx・ＣＯ特性を有するガスを前記酸化触媒
と接触させることにより得られる前記酸化触媒二次側の空気比−ＮＯx・ＣＯ特性を有し
、
前記空気比調整手段は、前記酸化触媒一次側の前記ガスの濃度比Ｋが次式（１５）および（１６）を満たし、前記酸化触媒二次側の空気比−ＮＯx・ＣＯ特性のＮＯx・ＣＯ低減領域において前記酸化触媒二次側の窒素酸化物濃度を実質的に零とする設定空気比にて前記予混合バーナの空気比を制御することを特徴とするボイラ。
（［ＮＯｘ］＋２［Ｏ２］）／［ＣＯ］＝Ｋ      …（１５）
Ｋ≦２．０                     …（１６）
（式（１５）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項１０】
炭化水素含有の燃料を燃焼させ、炭化水素を含まず、酸素，窒素酸化物および一酸化炭素を含むガスを生成させる予混合バーナと、
この予混合バーナにて生成されるガスから吸熱する水管群と、
この水管群通過後の酸素，窒素酸化物および一酸化炭素を含むガスと接触される酸化触媒と、
前記予混合バーナの燃焼空気量と燃料量との割合を調整する空気比調整手段とを備え、
前記酸化触媒は、その二次側の窒素酸化物濃度および一酸化炭素濃度を実質的に零とする前記酸化触媒一次側のガス中の酸素，窒素酸化物および一酸化炭素の濃度比Ｋを基準所定濃度比として、前記濃度比Ｋを前記基準所定濃度比とすると、前記酸化触媒二次側の酸素濃度，窒素酸化物濃度および一酸化炭素濃度を実質的に零とし、前記基準酸素濃度よりも一次側酸素濃度を低くすると、前記酸化触媒二次側の窒素酸化物濃度および酸素濃度を実質的に零とし、一酸化炭素濃度を低減する特性を有し、
前記空気比調整手段は、前記濃度比Ｋが次式（１７）および（１８）を満たし、前記酸化触媒二次側の酸素濃度および／または一酸化炭素濃度に基づき前記空気比を調整することにより、前記酸化触媒一次側の酸素濃度を前記基準酸素濃度に対して調整して、前記酸化触媒二次側の窒素酸化物濃度を実質的に零とし、一酸化炭素濃度を実質的に零または低減することを特徴とするボイラ。
（［ＮＯｘ］＋２［Ｏ２］）／［ＣＯ］＝Ｋ      …（１７）
Ｋ≦２．０                     …（１８）
（式（１７）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項１１】
前記ガス温度を抑制し窒素酸化物濃度を所定値以下に抑制する窒素酸化物生成抑制手段を備えたことを特徴とする請求項１〜７，９，１０のいずれか1項に記載のボイラ。
【請求項１２】
前記酸化触媒の二次側に給水予熱器を備えたことを特徴とする請求項１〜７，９，１０
のいずれか1項に記載のボイラ。
【請求項１３】
前記酸化触媒または前記センサの異常を検出するための第二のセンサと、
報知手段と、
前記第二のセンサの検出値に基づき前記異常を判定して前記報知手段によりその異常を報知する制御手段とを備えたことを特徴とする請求項１〜７，９，１０のいずれか1項に
記載のボイラ。
【手続補正２】
【補正対象書類名】明細書
【補正対象項目名】００２４
【補正方法】変更
【補正の内容】
【００２４】
請求項１に記載の発明は、炭化水素含有の燃料を燃焼させて、炭化水素を含まず、酸素，窒素酸化物および一酸化炭素を含むガスを生成させる予混合バーナと、この予混合バーナにて生成されるガスから吸熱する水管群と、この水管群を通過後の前記ガスに含まれる一酸化炭素を酸素により酸化し窒素酸化物を一酸化炭素により還元する酸化触媒と、前記予混合バーナの空気比を調整する空気比調整手段とを備え、前記予混合バーナおよび前記水管群は、前記空気比を設定空気比としたとき、前記酸化触媒一次側のガス中の酸素，窒素酸化物および一酸化炭素の濃度比Ｋが所定濃度比となる特性を有し、前記酸化触媒は、前記濃度比Ｋを前記所定濃度比としたとき前記酸化触媒二次側の窒素酸化物濃度を実質的に零とし、一酸化炭素濃度を実質的に零または所定値以下とする特性を有し、前記空気比調整手段により前記空気比を、前記濃度比Ｋが次式（１）および（２）を満たす前記設定空気比に制御することにより前記所定濃度比を一定に保持することを特徴としている。
（［ＮＯｘ］＋２［Ｏ２］）／［ＣＯ］＝Ｋ      …（１）
Ｋ≦２．０                     …（２）
（式（１）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
本発明および以下の説明において、「水管群を通過後」とは、「水管群全体を通過後」および「水管群の一部を通過後」を含むものとする。
【手続補正３】
【補正対象書類名】明細書
【補正対象項目名】００２６
【補正方法】変更
【補正の内容】
【００２６】
請求項１に記載の発明によれば、前記予混合バーナおよび前記水管群の特性を活かして前記バーナの空気比を設定空気比とし前記ガスの濃度比Ｋを前記所定濃度比とすることにより前記酸化触媒を用いて排出窒素酸化物濃度を実質的に零とし、排出一酸化炭素濃度を実質的に零または所定値以下とすることができる。また、前記酸化触媒二次側の酸素濃度は、実質的に零となるので、前記予混合バーナを低空気比にて燃焼させることとなり、省エネルギーを実現できる。また、前記ガス中に炭化水素を排出しないように前記予混合バーナを燃焼させるので、特許文献７のような炭化水素を排出するように燃焼させる方法と比較して前記予混合バーナの燃焼制御を容易に行える。前記酸化触媒に流入するガス中に炭化水素を含まないので、特許文献５のような複雑な手法を用いることなく、前記酸化触媒による窒素酸化物および一酸化炭素の低減を効果的に行うことができるとともに、炭化水素による反応を考慮することなく、前記所定濃度比の調整を容易に行える。また、前記
空気比調整手段により前記所定濃度をほぼ一定値に保持するので、外気温の変動などによる前記所定濃度比の変動を抑制することができ、安定した有害物質の低減効果を発揮することができるとともに、前記空気比調整手段と別に前記所定濃度比を一定に制御するための手段が不要であり、装置の構成を簡素化できる。また、予混合バーナを用いているので、低空気比領域で前記所定濃度比を比較的容易に得ることができる。
【手続補正４】
【補正対象書類名】明細書
【補正対象項目名】００２７
【補正方法】変更
【補正の内容】
【００２７】
請求項２に記載の発明は、炭化水素含有の燃料を燃焼させて、炭化水素を含まず、酸素，窒素酸化物および一酸化炭素を含むガスを生成させる予混合バーナと、この予混合バーナにて生成されるガスから吸熱する水管群と、この水管群を通過後の前記ガスに含まれる一酸化炭素を酸素により酸化し窒素酸化物を一酸化炭素により還元する酸化触媒と、前記予混合バーナの空気比を調整する空気比調整手段とを備え、前記予混合バーナおよび前記水管群は、前記空気比を基準設定空気比としたとき、前記酸化触媒一次側のガス中の酸素，窒素酸化物および一酸化炭素の濃度比Ｋが基準所定濃度比Ｋ０となる特性を有し、前記酸化触媒は、前記濃度比Ｋを前記基準所定濃度比Ｋ０としたとき前記酸化触媒二次側の窒素酸化物濃度および一酸化炭素濃度を実質的に零とする特性を有し、前記空気比調整手段により前記基準設定空気比に制御することにより前記基準所定濃度比Ｋ０を一定に保持し、前記基準所定濃度比Ｋ０を判定する式を、次式（４）を満たす次式（３）としたことを特徴としている。
（［ＮＯｘ］＋２［Ｏ２］）／［ＣＯ］＝Ｋ      …（３）
１．０≦Ｋ＝Ｋ０≦２．０                     …（４）
（式（３）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正５】
【補正対象書類名】明細書
【補正対象項目名】００２９
【補正方法】変更
【補正の内容】
【００２９】
請求項３に記載の発明は、炭化水素含有の燃料を燃焼させて、炭化水素を含まず、酸素，窒素酸化物および一酸化炭素を含むガスを生成させる予混合バーナと、この予混合バーナにて生成されるガスから吸熱する水管群と、この水管群を通過後の前記ガスに含まれる一酸化炭素を酸素により酸化し窒素酸化物を一酸化炭素により還元する酸化触媒と、前記予混合バーナの空気比を調整する空気比調整手段とを備え、前記予混合バーナおよび前記水管群は、前記空気比を第一設定空気比としたとき、前記酸化触媒一次側のガス中の酸素，窒素酸化物および一酸化炭素の濃度比Ｋが第一所定濃度比Ｋ１となる特性を有し、前記酸化触媒は、前記濃度比Ｋを前記第一所定濃度比Ｋ１としたとき前記酸化触媒二次側の窒素酸化物濃度を実質的に零とし、一酸化炭素濃度を所定値以下とする特性を有し、前記空気比調整手段により前記第一設定空気比に制御することにより前記第一所定濃度比Ｋ１を一定に保持し、基準所定濃度比Ｋ０を判定する式を、次式（６）を満たす次式（５）とし、前記第一所定濃度比Ｋ１を前記基準所定濃度比Ｋ０より小さくしたことを特徴としている。
（［ＮＯｘ］＋２［Ｏ２］）／［ＣＯ］＝Ｋ      …（５）
１．０≦Ｋ＝Ｋ０≦２．０                     …（６）
（式（５）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】変更
【補正の内容】
【００３３】
請求項４に記載の発明は、炭化水素含有の燃料を燃焼させ、炭化水素を含まず、酸素，窒素酸化物および一酸化炭素を含むガスを生成させる予混合バーナと、この予混合バーナにて生成されるガスから吸熱する水管群と、この水管群を通過後の前記ガスに含まれる一酸化炭素を酸素により酸化し窒素酸化物を一酸化炭素により還元する酸化触媒と、前記予混合バーナの空気比を検出するためのセンサと、このセンサの検出信号に基づき設定空気比に前記予混合バーナを制御する空気比調整手段とを備え、前記予混合バーナおよび前記水管群は、前記空気比調整手段により前記空気比を、前記酸化触媒への流入前の前記ガスの濃度比Ｋが次式（７）および（８）を満たすように前記設定空気比に調整したとき、前記酸化触媒二次側の窒素酸化物濃度を実質的に零とし、一酸化炭素濃度を実質的に零または所定値以下とする前記酸化触媒一次側における酸素，窒素酸化物および一酸化炭素の所定濃度比を得ることができるように構成されることを特徴としている。
（［ＮＯｘ］＋２［Ｏ２］）／［ＣＯ］＝Ｋ      …（７）
Ｋ≦２．０                     …（８）
（式（７）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
ここにおいて、本請求項および以下の請求項において、前記検出空気比（前記センサにより検出される空気比）および前記設定空気比は、それぞれ検出空燃比，設定空燃比または検出酸素濃度，設定酸素濃度に置き換えることができる。
【手続補正９】
【補正対象書類名】明細書
【補正対象項目名】００３４
【補正方法】変更
【補正の内容】
【００３４】
請求項５に記載の発明は、炭化水素含有の燃料を燃焼させ炭化水素を含まず、酸素，窒素酸化物および一酸化炭素を含むガスを生成させる予混合バーナと、この予混合バーナに
て生成されるガスから吸熱する水管群と、この水管群を通過後の前記ガスに含まれる一酸化炭素を酸素により酸化し窒素酸化物を一酸化炭素により還元する酸化触媒と、前記予混合バーナの空気比を検出するためのセンサと、このセンサの検出信号に基づき設定空気比に前記予混合バーナを制御する空気比調整手段とを備え、前記予混合バーナおよび前記水管群は、前記空気比調整手段により前記空気比を、前記酸化触媒への流入前の前記ガスの濃度比Ｋが次式（９）および（１０）を満たすように前記設定空気比に調整したとき、前記酸化触媒二次側の窒素酸化物濃度および酸素濃度を実質的に零とし、一酸化炭素濃度を実質的に零または所定値以下とする空気比−ＮＯx・ＣＯ特性を有することを特徴として
いる。
（［ＮＯｘ］＋２［Ｏ２］）／［ＣＯ］＝Ｋ      …（９）
Ｋ≦２．０                     …（１０）
（式（１０）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正１０】
【補正対象書類名】明細書
【補正対象項目名】００３５
【補正方法】変更
【補正の内容】
【００３５】
請求項６に記載の発明は、炭化水素含有の燃料を燃焼させ炭化水素を含まず、酸素，窒素酸化物および一酸化炭素を含むガスを生成させる予混合バーナと、この予混合バーナにて生成されるガスから吸熱する水管群と、この水管群を通過後の前記ガスに含まれる一酸化炭素を酸素により酸化し窒素酸化物を一酸化炭素により還元する酸化触媒と、前記予混合バーナの空気比を検出するためのセンサと、このセンサの検出信号に基づき設定空気比に前記予混合バーナを制御する空気比調整手段とを備え、前記予混合バーナおよび前記水管群は、前記空気比調整手段により前記空気比を、前記酸化触媒への流入前の前記ガスの濃度比Ｋが次式（１１）および（１２）を満たすように前記設定空気比に調整したとき、前記酸化触媒一次側の前記ガスにおける一酸化炭素濃度が前記酸化により前記酸化触媒内で低減される一酸化炭素濃度と前記還元により前記酸化触媒内で低減される一酸化炭素濃度とを加えた値とほぼ等しいか、それ以上となるように構成されることを特徴としている。
（［ＮＯｘ］＋２［Ｏ２］）／［ＣＯ］＝Ｋ      …（１１）
Ｋ≦２．０                     …（１２）
（式（１１）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正１１】
【補正対象書類名】明細書
【補正対象項目名】００３６
【補正方法】変更
【補正の内容】
【００３６】
請求項７に記載の発明は、炭化水素含有の燃料を燃焼させ炭化水素を含まず、酸素，窒素酸化物および一酸化炭素を含むガスを生成させる予混合バーナと、この予混合バーナにて生成されるガスから吸熱する水管群と、この水管群を通過後の前記ガスに含まれる一酸化炭素を酸素により酸化し窒素酸化物を一酸化炭素により還元する酸化触媒と、前記予混合バーナの空気比を検出するためのセンサと、このセンサの検出信号に基づき設定空気比
に前記予混合バーナを制御する空気比調整手段とを備え、前記予混合バーナおよび前記水管群は、前記空気比調整手段により前記空気比を前記設定空気比に調整したとき、前記酸化触媒への流入前の前記ガスの濃度比Ｋが次式（１３）および（１４）を満たすように構成されることを特徴としている。
（［ＮＯｘ］＋２［Ｏ２］）／［ＣＯ］＝Ｋ      …（１３）
Ｋ≦２．０                     …（１４）
（式（１３）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正１２】
【補正対象書類名】明細書
【補正対象項目名】００３７
【補正方法】変更
【補正の内容】
【００３７】
請求項４〜請求項７に記載の発明によれば、請求項１と同様な効果を奏することができる。
【手続補正１３】
【補正対象書類名】明細書
【補正対象項目名】００３８
【補正方法】変更
【補正の内容】
【００３８】
請求項８に記載の発明は、請求項４〜請求項７において、前記設定空気比を実質的に１．０とすることを特徴としている。
【手続補正１４】
【補正対象書類名】明細書
【補正対象項目名】００３９
【補正方法】変更
【補正の内容】
【００３９】
請求項８に記載の発明によれば、請求項４〜請求項７に記載の発明による効果に加えて、限りなく１に近い低空気比燃焼による省エネルギーを実現できるという効果を奏する。
【手続補正１５】
【補正対象書類名】明細書
【補正対象項目名】００４０
【補正方法】変更
【補正の内容】
【００４０】
請求項９に記載の発明は、炭化水素含有の燃料を燃焼させ炭化水素を含まず、酸素，窒素酸化物および一酸化炭素を含むガスを生成させる予混合バーナと、この予混合バーナにて生成されるガスから吸熱する水管群と、この水管群を通過後の前記ガスに含まれる一酸化炭素を酸素により酸化し窒素酸化物を一酸化炭素により還元する酸化触媒と、前記予混
合バーナの空気比を調整する空気比調整手段とを備え、前記予混合バーナおよび前記水管群は、前記空気比調整手段により空気比１．０の近傍にて調整することにより得られる前記酸化触媒一次側の酸素，窒素酸化物および一酸化炭素を含む前記ガスに関する前記酸化触媒の一次側の空気比−ＮＯx・ＣＯ特性を有し、前記酸化触媒は、前記一次側の空気比
−ＮＯx・ＣＯ特性を有するガスを前記酸化触媒と接触させることにより得られる前記酸
化触媒二次側の空気比−ＮＯx・ＣＯ特性を有し、前記空気比調整手段は、前記酸化触媒
一次側の前記ガスの濃度比Ｋが次式（１５）および（１６）を満たし、前記酸化触媒二次側の空気比−ＮＯx・ＣＯ特性のＮＯx・ＣＯ低減領域において前記酸化触媒二次側の窒素酸化物濃度を実質的に零とする設定空気比にて前記予混合バーナの空気比を制御することを特徴としている。
（［ＮＯｘ］＋２［Ｏ２］）／［ＣＯ］＝Ｋ      …（１５）
Ｋ≦２．０                     …（１６）
（式（１５）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正１６】
【補正対象書類名】明細書
【補正対象項目名】００４１
【補正方法】変更
【補正の内容】
【００４１】
請求項９に記載の発明によれば、前記設定空気比に制御することにより、前記酸化触媒を用いて排出窒素酸化物濃度を実質的に零とし、排出一酸化炭素濃度を実質的に零または所定値以下とすることができる。その他の効果は、前記請求項４〜７と同様である。
【手続補正１７】
【補正対象書類名】明細書
【補正対象項目名】００４２
【補正方法】変更
【補正の内容】
【００４２】
請求項１０に記載の発明は、炭化水素含有の燃料を燃焼させ炭化水素を含まず、酸素，窒素酸化物および一酸化炭素を含むガスを生成させる予混合バーナと、この予混合バーナにて生成されるガスから吸熱する水管群と、この水管群通過後の酸素，窒素酸化物および一酸化炭素を含むガスと接触される酸化触媒と、前記予混合バーナの燃焼空気量と燃料量との割合を調整する空気比調整手段とを備え、前記酸化触媒は、その二次側の窒素酸化物濃度および一酸化炭素濃度を実質的に零とする前記酸化触媒一次側のガス中の酸素，窒素酸化物および一酸化炭素の濃度比Ｋを基準所定濃度比として、前記濃度比Ｋを前記基準所定濃度比とすると、前記酸化触媒二次側の酸素濃度，窒素酸化物濃度および一酸化炭素濃度を実質的に零とし、前記基準酸素濃度よりも一次側酸素濃度を低くすると、前記酸化触媒二次側の窒素酸化物濃度および酸素濃度を実質的に零とし、一酸化炭素濃度を低減する特性を有し、前記空気比調整手段は、前記濃度比Ｋが次式（１７）および（１８）を満たし、前記酸化触媒二次側の酸素濃度および／または一酸化炭素濃度に基づき前記空気比を調整することにより、前記酸化触媒一次側の酸素濃度を前記基準酸素濃度に対して調整して、前記酸化触媒二次側の窒素酸化物濃度を実質的に零とし、一酸化炭素濃度を実質的に零または低減することを特徴としている。
（［ＮＯｘ］＋２［Ｏ２］）／［ＣＯ］＝Ｋ      …（１７）
Ｋ≦２．０                     …（１８）
（式（１７）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正１８】
【補正対象書類名】明細書
【補正対象項目名】００４３
【補正方法】変更
【補正の内容】
【００４３】
請求項１０に記載の発明によれば、前記設定空気比に制御することにより、前記酸化触媒を用いて排出窒素酸化物濃度を実質的に零とし、排出一酸化炭素濃度を実質的に零または所定値以下に低減することができる。その他の効果は、前記請求項４〜７と同様である。
【手続補正１９】
【補正対象書類名】明細書
【補正対象項目名】００４４
【補正方法】変更
【補正の内容】
【００４４】
請求項１１に記載の発明は、請求項１〜７，９，１０において、前記ガス温度を抑制し窒素酸化物濃度を所定値以下に抑制する窒素酸化物生成抑制手段を備えたことを特徴としている。
【手続補正２０】
【補正対象書類名】明細書
【補正対象項目名】００４５
【補正方法】変更
【補正の内容】
【００４５】
請求項１１に記載の発明によれば、請求項１〜７，９，１０に記載の発明による効果に加えて、ＮＯxの生成を所定値以下に抑制しているので、前記酸化触媒の使用量を低減す
ることができるという効果を奏する。
【手続補正２１】
【補正対象書類名】明細書
【補正対象項目名】００４６
【補正方法】変更
【補正の内容】
【００４６】
請求項１２に記載の発明は、請求項１〜７，９，１０において、前記酸化触媒の二次側に給水予熱器を備えたことを特徴としている。
【手続補正２２】
【補正対象書類名】明細書
【補正対象項目名】００４７
【補正方法】変更
【補正の内容】
【００４７】
請求項１２に記載の発明によれば、請求項１〜７，９，１０に記載の発明による効果に加えて、前記酸化触媒にて生じた熱を前記給水予熱器にて回収でき、一層の省エネルギー化を実現できるという効果を奏する。また、窒素酸化物の排出量を実質的に零とすることにより、前記給水予熱器の腐食を抑制することができる。
【手続補正２３】
【補正対象書類名】明細書
【補正対象項目名】００４８
【補正方法】変更
【補正の内容】
【００４８】
請求項１３に記載の発明は、請求項１〜７，９，１０において、前記酸化触媒または前記センサの異常を検出するための第二のセンサと、報知手段と、前記第二のセンサの検出値に基づき前記異常を判定して前記報知手段によりその異常を報知する制御手段とを備えたことを特徴としている。
【手続補正２４】
【補正対象書類名】明細書
【補正対象項目名】００４９
【補正方法】変更
【補正の内容】
【００４９】
請求項１３に記載の発明によれば、請求項１〜７，９，１０に記載の発明による効果に加えて、前記酸化触媒または前記センサの異常の報知により、ボイラの管理者などが異常の対応を行うことにより、多量の一酸化炭素の排出を防止することができるという効果を奏する。
【手続補正２５】
【補正対象書類名】明細書
【補正対象項目名】００５０
【補正方法】変更
【補正の内容】
【００５０】
この発明によれば、前記空気比調整手段により前記濃度比Ｋを前記所定濃度比に調整することにより、前記酸化触媒を用いて、窒素酸化物および一酸化炭素の排出量を限りなく零に近く低減できる。また、有害物質の低減を安定して実現することができる。また、濃度比一定制御のための手段を別個に必要とせず、装置構成を簡易化することができる。また、先混合バーナと比較して、燃焼空気と燃料とを均一混合して燃焼することができ、理論空気比近傍であっても炭化水素やＣＯの発生量が少なく、前記所定濃度比のガスの生成を比較的容易に安定して行うことができる。